【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
結像光学系の異なる瞳部分領域を通過する光束を受光する複数の副画素からなる単位画素を複数配列した撮像素子により取得される副画素の撮像信号を処理して前記撮像素子により撮影される撮影画像の画像データを生成する画像処理装置であって、
第１の領域と、前記第１の領域とは異なる第２の領域とを、前記撮影画像上に設定する設定手段と、
前記第１の領域に対応する前記撮影画像の画像データが、前記第２の領域に対応する前記撮影画像の画像データに比べて単位画素当りの副画素の撮像信号が多くなるように、前記撮像素子より取得される副画素の撮像信号の一部を加算して前記撮影画像の画像データを生成する画像処理手段と、
前記撮影画像の画像データを所定の記録フォーマットで記録媒体に記録する記録手段と、
を有することを特徴とする画像処理装置。
【請求項２】
前記撮影画像の合焦情報を取得する取得手段をさらに有し、
前記設定手段は、前記取得手段により取得される前記合焦情報に基づいて、前記第１の領域と前記第２の領域とを設定することを特徴とする請求項１に記載の画像処理装置。
【請求項３】
前記撮影画像の異なる瞳部分領域に対応する副画素間の像ずれ量を取得する取得手段をさらに有し、
前記設定手段は、前記取得手段により取得される前記像ずれ量に基づいて、前記第１の領域と前記第２の領域とを設定することを特徴とする請求項１に記載の画像処理装置。
【請求項４】
前記合焦情報は、前記撮影画像上の所定の領域のデフォーカス量の大きさであることを特徴とする請求項２に記載の画像処理装置。
【請求項５】
前記画像処理手段は、前記第１の領域を、所定値よりもデフォーカス量の大きさが小さい領域として設定し、前記第２の領域を、前記所定値よりもデフォーカス量の大きさが大きい領域として設定することを特徴とする請求項１に記載の画像処理装置。
【請求項６】
前記画像処理手段は、前記第１の領域を、所定値よりも像ずれ量が大きい領域として設定し、前記第２の領域を、前記所定値よりも像ずれ量の小さい領域として設定することを特徴とする請求項３に記載の画像処理装置。
【請求項７】
前記撮影画像の画像データを前記記録手段から読み出し、前記撮影画像の画像データ内の前記第１の領域に対応する副画素の撮像信号を加算して前記第１の領域に対応するリフォーカス画像データを生成し、生成された前記リフォーカス画像データと前記第２の領域に対応する前記撮影画像の画像データとを合成して前記撮影画像のリフォーカス画像を生成するリフォーカス画像生成手段をさらに有することを特徴とする請求項１乃至６のいずれか１項に記載の画像処理装置。
【請求項８】
前記画像処理手段は、前記撮影画像の画像データを前記記録手段から読み出し、前記第１の領域に対応する前記撮影画像の画像データから視差画像データを生成し、生成された視差画像データの各々と前記第２の領域に対応する前記撮影画像の画像データとを合成して前記撮影画像の複数の視差画像を生成することを特徴とする請求項１乃至６のいずれか１項に記載の画像処理装置。
【請求項９】
前記画像処理手段は、前記設定手段を制御し、焦点検出領域を前記撮影画像に設定し、前記焦点検出領域を含むように前記第１の領域を設定することを特徴とする請求項１乃至８のいずれか１項に記載の画像処理装置。
【請求項１０】
結像光学系の異なる瞳部分領域を通過する光束を受光する複数の副画素からなる単位画素を複数配列した撮像素子と、
請求項１乃至９のいずれか１項に記載の画像処理装置と、
を備えることを特徴とする撮像装置。
【請求項１１】
結像光学系の異なる瞳部分領域を通過する光束を受光する複数の副画素からなる単位画素を複数配列した撮像素子と、
請求項７に記載の画像処理装置と、
表示手段と、を備え、
前記表示手段は、前記画像処理手段で前記撮影画像について生成される前記リフォーカス画像を表示することを特徴とする撮像装置。
【請求項１２】
結像光学系の異なる瞳部分領域を通過する光束を受光する複数の副画素からなる単位画素を複数配列した撮像素子と、
請求項８に記載の画像処理装置と、
表示手段と、を備え、
前記表示手段は、前記画像処理手段で前記撮影画像について生成される前記複数の視差画像を表示することを特徴とする撮像装置。
【請求項１３】
結像光学系の異なる瞳部分領域を通過する光束を受光する複数の副画素からなる単位画素を複数配列した撮像素子と、
請求項２に記載の画像処理装置と、
前記撮影画像の所定の領域の副画素の撮像信号に基づいて前記合焦情報を算出する算出手段と、
を有することを特徴とする撮像装置。
【請求項１４】
前記算出手段は、前記撮影画像の所定の領域の視差画像間の像ずれ量を相関演算により算出して前記合焦情報を算出することを特徴とする請求項１３に記載の撮像装置。
【請求項１５】
前記算出手段は、前記撮影画像の副画素の撮像信号に基づいて生成される複数のリフォーカス画像のコントラスト評価値に基づいて前記合焦情報を算出することを特徴とする請求項１３に記載の撮像装置。
【請求項１６】
結像光学系の異なる瞳部分領域を通過する光束を受光する複数の副画素からなる単位画素を複数配列した撮像素子により取得される副画素の撮像信号を処理して前記撮像素子により撮影される撮影画像の画像データを生成する画像処理方法であって、
前記撮影画像の合焦情報を取得する取得ステップと、
前記取得ステップにより取得される前記合焦情報に基づいて、第１の領域と、前記第１の領域とは異なる第２の領域とを、前記撮影画像上に設定する設定ステップと、
前記第１の領域に対応する前記撮影画像の画像データが、前記第２の領域に対応する前記撮影画像の画像データに比べて単位画素当りの副画素の撮像信号が多くなるように、前記撮像素子より取得される副画素の撮像信号の一部を加算して前記撮影画像の画像データを生成する画像処理ステップと、
前記撮影画像の画像データを所定の記録フォーマットで記録媒体に記録する記録ステップと、
を有することを特徴とする画像処理方法。
【請求項１７】
コンピュータを、
結像光学系の異なる瞳部分領域を通過する光束を受光する複数の副画素からなる単位画素を複数配列した撮像素子により取得される副画素の撮像信号を処理して前記撮像素子により撮影される撮影画像の画像データを生成する画像処理装置における、
前記撮影画像の合焦情報を取得する取得手段と、
前記取得手段により取得される前記合焦情報に基づいて、第１の領域と、前記第１の領域とは異なる第２の領域とを、前記撮影画像上に設定する設定手段と、
前記第１の領域に対応する前記撮影画像の画像データが、前記第２の領域に対応する前記撮影画像の画像データに比べて単位画素当りの副画素の撮像信号が多くなるように、前記撮像素子より取得される副画素の撮像信号の一部を加算して前記撮影画像の画像データを生成する画像処理手段と、
前記撮影画像の画像データを所定の記録フォーマットで記録媒体に記録する記録手段として機能させるためのプログラム。
【請求項１８】
請求項１７に記載のプログラムを記録したコンピュータが読み取り可能な記録媒体。
【請求項１９】
コンピュータを、請求項１乃至９のいずれか１項に記載の画像処理装置の各手段として機能させるためのプログラム。
【請求項２０】
コンピュータを、請求項１乃至９のいずれか１項に記載の画像処理装置の各手段として機能させるためのプログラムを格納した記録媒体。
【手続補正２】
【補正対象書類名】明細書
【補正対象項目名】０００９
【補正方法】変更
【補正の内容】
【０００９】
本発明の一観点によれば、結像光学系の異なる瞳部分領域を通過する光束を受光する複数の副画素からなる単位画素を複数配列した撮像素子により取得される副画素の撮像信号を処理して前記撮像素子により撮影される撮影画像の画像データを生成する画像処理装置であって、第１の領域と、前記第１の領域とは異なる第２の領域とを、前記撮影画像上に設定する設定手段と、前記第１の領域に対応する前記撮影画像の画像データが、前記第２の領域に対応する前記撮影画像の画像データに比べて単位画素当りの副画素の撮像信号が多くなるように、前記撮像素子より取得される副画素の撮像信号の一部を加算して前記撮影画像の画像データを生成する画像処理手段と、前記撮影画像の画像データを所定の記録フォーマットで記録媒体に記録する記録手段と、を有することを特徴とする画像処理装置が提供される。